(57)【要約】      （修正有）【課題】指掛かりを設け容易に楽に積む事のできるスタンダードブロックを提供する。【解決手段】上側面より５０ｍｍ下がった位置と左側面から４０ｍｍ内側に縦４０ｍｍ×横３５ｍｍの凹部Ｃを設け指が掛かるようにしたこと、また凹面の両端にも凹部Ｄを設け左手を右手により補助できるようにしたことを特徴とした基本ブロック。また、前記基本ブロックにおいて横筋ブロックの中心部に貫通孔１２を設けレンガ積みをする際、鉄筋が通るようにした横筋ブロック。また、前記横筋ブロックにおいてコーナーブロックの中心部に貫通孔を設けた。【選択図】図２
0003176577.tif 000002
【実用新案登録請求の範囲】
【請求項１】
建築用及び外構用ブロックにおいて、ブロックの厚みが１０ｃｍ〜１９ｃｍであっ
て、表面に上側面より５０ｍｍ下がった位置と側面から４０ｍｍ内側に縦４０ｍｍ×
横３５ｍｍの凹部を設けたことを特徴とする建築用及び外構用ブロック。
【請求項２】
建築用及び外構用ブロックにおいて、ブロックの厚みが１０ｃｍ〜１９ｃｍであっ
て、縦４０ｍｍ×横３５ｍｍの凹部の深さは１５ｍｍであり、ブロック積みの際、最    も指掛かりが安定し楽に積めることが作業向上に繋がるものである。また、ブロック    の中心部に貫通孔３を設けレンガ積みをする際、鉄筋が通るようにしたことを特徴と    する建築用及び外構用ブロック。
【請求項３】
前記ブロックの上面の中心部から下面の中心部に貫通孔３を設けたことを特徴とす
る請求項１又は請求項２に記載の建築用及び外構用ブロック。
【考案の詳細な説明】
【技術分野】
【０００１】
本考案はスタンダードブロックに関するものであり、建築用及び外構用のブロック、
特にブロック積み作業の簡易化を図るスタンダードブロックに関するものである。
【背景技術】
【０００２】
従来よりスタンダードブロックを積む際には指掛かりのないものを積むのが通例で
ある。
【先行技術文献】
【特許文献】
【０００３】
【特許文献１】特開２００４−２７８２９０号公報
【考案の概要】
【考案が解決しようとする課題】
【０００４】
指掛かりのないスタンダードブロックを積む際には手の握力にだけ頼り、手間と時間が掛かる。また、工事の進行も遅れるという問題点がある。本考案はこのような事情を背景としてなされたもので本考案の目的は指掛かりを設け容易に楽に積む事のできるスタンダードブロックを提供しようとしたものである。
しかしながら、上記の特開２００４−２７８２９０号公報に記載の建築ブロックは運搬や積み上げが容易であるが構造が複雑で高価なものとなる。本考案は、このような従来の問題を解決するものでブロックを積む際に作業能率の向上と疲労軽減を図ることができ、手間と時間を掛けずに工事の進行を速めることが可能な建築用及び外構用のブロックを安価に提供することを目的とするものである。
【課題を解決するための手段】
【０００５】
本考案はこのような目的を達成するためのものであり、下記のように構成される。
１  建築用及び外構用ブロックにおいて、ブロックの厚みが１０ｃｍ〜１９ｃｍであって    表面に上側面より５０ｍｍ下がった位置と左側面から４０ｍｍ内側に縦４０ｍｍ×横    ３５ｍｍの凹部を設けたことを特徴とする建築用及び外構用ブロック。
２  建築用及び外構用ブロックにおいて、ブロックの厚みが１０ｃｍ〜１９ｃｍであって    縦４０ｍｍ×横３５ｍｍの凹部の深さは１５ｍｍであり、ブロック積みの際、最も指    掛かりが安定し楽に積めることが作業向上に繋がるものである。また、ブロックの中    心部に貫通孔３を設けレンガ積みをする際、鉄筋が通るようにしたことを特徴とする    建築用及び外構用ブロック。
３  前記ブロックの上面の中心部から下面の中心部に貫通孔３を設けたことを特徴とする    上記１または２に記載の建築用及び外構用ブロック。
【考案の効果】
【０００６】
本考案は上記の通り構成されているので次に記載する効果を奏する。図２の横筋ブロックの凹部Ｃは積上げた際に均等に間隔を保ち、化粧のワンポイントにもなる。また、凹面１４の両面に形成した凹部Ｄはモルタルを充填し硬化によってスタンダードブロックの凹面１４同士の接合により強固な工作物ができ作業能率の向上と疲労軽減を図ることができ手間と時間を掛けず工事の進行も速まる。
【図面の簡単な説明】
【０００７】
【図１】本考案の基本ブロックを示す斜視図である。
【図２】本考案の横筋ブロックを示す斜視図である。
【図３】本考案の基本ブロックを示す断面図である。
【図４】本考案のコーナーブロックを示す斜視図である。
【図５】本考案のブロックのレンガ積を示す立面図である。
【考案を実施するための形態】
【０００８】
図１においては基本ブロック表面３と裏面６に凹部が形成される。凹部Ａは上側面５より５０ｍｍ、側面１と側面２より４０ｍｍ内側に凹部Ａの縦４０ｍｍ×横３５ｍｍの大きさのものである。また、基本ブロックの凹面４に設けた凹部Ｂにおいても上側面５より５０ｍｍ下がった部分で凹面４の中心上部に３０ｍｍ×３０ｍｍの凹部Ｂを設けるものである。このような凹部Ａと凹部Ｂを設けたことにより作業上持ちやすくなるものである。更に、凹部Ａの縦４０ｍｍ×横３５ｍｍまた凹部Ｂの３０ｍｍ×３０ｍｍは作業時に指を掛けるときに持ちやすい大きさにしたものである。
【０００９】
図２の横筋ブロックにおいては、中心部（鉄筋部分）を上下方向に貫通孔１２を設け鉄筋が通るようにしたものである。また、図２の凹部Ｃと凹部Ｄを側面１０と側面９と凹面１４及び表面１３と裏面１１に設けたものである。
【００１０】
図３の断面図においては、基本ブロックと横筋ブロックと同様に、凹面１７の中心上部に凹部Ｅを設けるものである。また、表面１５と裏面１６の上側面２６と上側面２７より５０ｍｍ、側面１８と側面１９より４０ｍｍ内側へ入った部分に凹部Ｆを設けたものである。
【００１１】
図４のコーナーブロックにおいては基本ブロックと横筋ブロックと同様に、表面に上側面より５０ｍｍ下がった位置と左側面から４０ｍｍ内側に縦４０ｍｍ×横３５ｍｍの凹部を設けたものである。また、中心部に貫通孔２５を設け鉄筋が通るようにしたものである。端部２８には鉄筋が入らない場合にでも対応できるコーナーブロックである。
【００１２】
図５のブロックのレンガ積においては、レンガ積の積み方を示したものである。
【００１３】
以上のように構成された実施例においてスタンダードブロック積み作業時に図３の凹部Ｆは積み上げた際に均等な間隔となり、ワンポイントの化粧にもなり、図１の凹部Ｂにおいてはモルタルを充填した際に凹部Ｂにモルタルが入り込み積み上げたスタンダードブロックがより強固なものになるものである。また、指掛かりのないスタンダードブロックを積む際には手の握力にだけに頼り手間と時間がかかっていたものを指掛かりを設けた事によりスタンダードブロックを積む際に容易で作業能率が向上するとともに作業の疲労度も大幅に軽減されるものである。
【符号の説明】
【００１４】
Ａ  凹部
Ｂ  凹部
Ｃ  凹部
Ｄ  凹部
Ｅ  凹部
Ｆ  凹部
Ｇ  凹部
Ｈ  凹部
１  側面
２  側面
３  表面
４  凹面
５  上側面
６  裏面
７  上側面
８  上側面
９  側面
１０  側面
１１  裏面
１２  貫通孔
１３  表面
１４  凹面
１５  表面
１６  裏面
１７  凹面
１８  側面
１９  側面
２０  裏面
２１  表面
２２  側面
２３  側面
２４  凹面
２５  貫通孔
２６  上側面
２７  上側面
２８  端部
【図１】
0003176577.tif 000003
【図２】
0003176577.tif 000004
【図３】
0003176577.tif 000005
【図４】
0003176577.tif 000006
【図５】
0003176577.tif 000007
【手続補正書】
【提出日】平成24年4月18日(2012.4.18)
【手続補正１】
【補正対象書類名】実用新案登録請求の範囲
【補正対象項目名】全文
【補正方法】変更
【補正の内容】
【実用新案登録請求の範囲】
【請求項１】
建築用又は外構用ブロックにおいて、ブロックの厚みが１０ｃｍ〜１９ｃｍであって、表面に上側面より５０ｍｍ下がった位置と側面から４０ｍｍ内側に縦４０ｍｍ×横３５ｍｍの凹部を設けたことを特徴とする建築用又は外構用ブロック。
【請求項２】
建築用又は外構用ブロックにおいて、ブロックの厚みが１０ｃｍ〜１９ｃｍであって、表面に上側面より５０ｍｍ下がった位置と側面から４０ｍｍ内側に縦４０ｍｍ×横３５ｍｍの凹部を設けた深さは１５ｍｍであり、ブロック積みの際、最も指掛かりが安定し楽に積めることが作業向上に繋がるもので、更にブロックの上側面の中心部から下側面の中心部を貫通する孔である貫通孔１２又は２５を設けレンガ積みをする際、鉄筋が通るようにしたことを特徴とする請求項１記載の建築用又は外構用ブロック。
【請求項３】
前記ブロックの上側面の中心部から下側面の中心部に貫通孔１２又は２５を設けたことを特徴とする請求項１又は請求項２に記載の建築用又は外構用ブロック。